(57)【特許請求の範囲】
【請求項１】
楽器筐体の前面に配置された左右のスピーカを含み、演奏者に対面する方向に向けて配置された正面スピーカと、前記楽器筐体の背面にその背後方向に向けて配置された背面スピーカと、前記楽器筐体の上面に上方に向けて配置された上面スピーカを用意し、
個別の楽器種類の楽音信号を発生する音源チャンネルごとに、前記各スピーカへの割当音量を設定し、該各音源チャンネルの楽音信号を該設定された割当音量で該各スピーカの再生系統にそれぞれ割り当て、該各スピーカ再生系統ごとに、該割り当てられた各音源チャンネルの楽音信号をミキシングして、該当するスピーカからそれぞれ再生し、
前記楽器種類ごとに、各対応する実際の楽器の楽音の奥行感に応じて、前記正面スピーカに対する前記背面スピーカの割当音量を設定し、かつ、
前記楽器種類ごとに、各対応する実際の楽器の楽音の拡がり感に応じて、前記正面スピーカに対する前記上面スピーカの割当音量を設定する電子鍵盤楽器の楽音再生方法。
【請求項２】
楽器筐体の前面に配置された左右のスピーカを含み、演奏者に対面する方向に向けて配置された正面スピーカと、
前記楽器筐体の背面にその背後方向に向けて配置された背面スピーカと、
前記楽器筐体の上面に上方に向けて配置された上面スピーカと、
複数の音源チャンネルから個別の楽器種類の楽音信号を発生する音源手段と、
前記音源手段で発生する楽器種類ごとの楽音信号の前記各スピーカ再生系統への割当音量を記憶する記憶手段と、
前記各音源チャンネルの楽音信号を、前記記憶手段に記憶された割当音量で前記各スピーカの再生系統へ割り当てる割当手段と、
該割り当てられた楽音信号を、前記各スピーカの再生系統ごとにミキシング処理して、該当するスピーカ再生系統にそれぞれ供給するミキシング手段とを具備し、
前記記憶手段に記憶された割当音量は、前記楽器種類ごとに、各対応する実際の楽器の楽音の奥行感に応じて、前記正面スピーカに対する前記背面スピーカの割当音量を設定し、かつ、前記楽器種類ごとに、各対応する実際の楽器の楽音の拡がり感に応じて、前記正面スピーカに対する前記上面スピーカの割当音量を設定している電子鍵盤楽器。
【請求項３】
前記楽器筐体の前面に演奏者に対面する方向に向けて配置された低音用スピーカをさらに具備し、
前記割当手段が、前記各音源チャンネルの楽音信号を、個別に設定された割当音量で該低音用スピーカの再生系統へ割り当て、
前記ミキシング手段が、該低音用スピーカ再生系統に割り当てられた各音源チャンネルの楽音信号をミキシングして該低音用スピーカ再生系統に供給する請求項２記載の電子鍵盤楽器。
【請求項４】
前記割当手段に設定された割当音量を、使用者の操作により音源チャンネルごとに修正する割当音量修正操作手段をさらに具備してなる請求項２または３記載の電子鍵盤楽器。
【請求項５】
前記記憶手段が前記修正された割当音量を記憶し、
前記割当手段が、該記憶手段の読出指令に基づき、前記各楽器種類の楽音信号の音源チャンネルごとに、各スピーカ再生系統への割当音量を、該記憶された割当音量にそれぞれ設定する請求項４記載の電子鍵盤楽器。
【請求項６】
前記楽器筐体に取り付けられた加振器をさらに具備し、
前記割当手段が、前記各音源チャンネルの楽音信号を、個別に設定された割当音量で該加振器の駆動系統へ割り当て、
前記ミキシング手段が、該加振器駆動系統に割り当てられた各音源チャンネルの楽音信号をミキシングして該加振器駆動系統に供給する請求項２から５のいずれかに記載の電子鍵盤楽器。
【請求項７】
前記各音源チャンネルの楽音信号に個別に所定の楽音パラメータを付与する楽音パラメータ付与手段をさらに具備してなり、前記割当手段が、該楽音パラメータが付与された後の楽音信号について、個別に設定された割当音量で前記各スピーカ再生系統への割り当てを行う請求項２から６のいずれかに記載の電子鍵盤楽器。
【請求項８】
前記ミキシング処理された後の各スピーカ再生系統の楽音信号に個別に所定の楽音パラメータを付与する第２の楽音パラメータ付与手段をさらに具備してなる請求項２から７のいずれかに記載の電子鍵盤楽器。
【請求項９】
前記楽音パラメータが、周波数特性、遅延時間、残響特性のいずれか１または２以上のパラメータを含む請求項７または８記載の電子鍵盤楽器。
【請求項１０】
前記ミキシング処理された後の各スピーカ再生系統の楽音信号の音量を個別に調整する音量調整手段をさらに具備してなる請求項２から９のいずれかに記載の電子鍵盤楽器。
【発明の詳細な説明】
【０００１】
【発明の属する技術分野】
この発明は、複数の楽器種類の楽音を発生できる電子鍵盤楽器の楽音再生方法および電子鍵盤楽器に関し、楽器種類ごとに楽音の奥行感や拡がり感等を設定できるようにして、自然楽器ごとの楽音の特徴を再現できるようにしたものである。
【０００２】
【従来の技術】
複数の音色の楽音を発音できる従来の電子鍵盤楽器として、各種音色の楽音信号を個別に左右チャンネルの再生系統に割り当て、残響等の効果を付与して左右のスピーカから再生するものがあった。
【０００３】
【発明が解決しようとする課題】
前記従来の電子鍵盤楽器においては、音色ごとに楽音の左右方向の定位を設定することはできるが、音色ごとに楽音の奥行感や拡がり感等を設定することはできず、自然楽器ごとの楽音の特徴を再現することはできなかった。
【０００４】
この発明は上述の点に鑑みてなされたもので、音色（楽器種類）ごとに楽音の奥行感や拡がり感等を設定できるようにして、自然楽器ごとの楽音の特徴を再現できるようにした電子鍵盤楽器の楽音再生方法および電子鍵盤楽器を提供しようとするものである。
【０００５】
【課題を解決するための手段】
この発明の電子鍵盤楽器の楽音再生方法は、楽器筐体の前面に配置された左右のスピーカを含み、演奏者に対面する方向に向けて配置された正面スピーカと、前記楽器筐体の背面にその背後方向に向けて配置された背面スピーカと、前記楽器筐体の上面に上方に向けて配置された上面スピーカを用意し、個別の楽器種類の楽音信号を発生する音源チャンネルごとに、前記各スピーカへの割当音量を設定し、該各音源チャンネルの楽音信号を該設定された割当音量で該各スピーカの再生系統にそれぞれ割り当て、該各スピーカ再生系統ごとに、該割り当てられた各音源チャンネルの楽音信号をミキシングして、該当するスピーカからそれぞれ再生し、前記楽器種類ごとに、各対応する実際の楽器の楽音の奥行感に応じて、前記正面スピーカに対する前記背面スピーカの割当音量を設定し、かつ、前記楽器種類ごとに、各対応する実際の楽器の楽音の拡がり感に応じて、前記正面スピーカに対する前記上面スピーカの割当音量を設定するものである。この発明によれば、背面スピーカおよび上面スピーカの割当音量を増やすことにより、楽音の奥行感や拡がり感が得られる。そして、楽器種類ごとに正面スピーカに対する背面スピーカおよび上面スピーカの割当音量を設定することにより、楽器種類ごとに楽音の奥行感や拡がり感等を設定することができ、自然楽器ごとの楽音の特徴を再現することができる。
【０００６】
この発明の電子鍵盤楽器は、楽器筐体の前面に配置された左右のスピーカを含み、演奏者に対面する方向に向けて配置された正面スピーカと、前記楽器筐体の背面にその背後方向に向けて配置された背面スピーカと、前記楽器筐体の上面に上方に向けて配置された上面スピーカと、複数の音源チャンネルから個別の楽器種類の楽音信号を発生する音源手段と、前記音源手段で発生する楽器種類ごとの楽音信号の前記各スピーカ再生系統への割当音量を記憶する記憶手段と、前記各音源チャンネルの楽音信号を、前記記憶手段に記憶された割当音量で前記各スピーカの再生系統へ割り当てる割当手段と、該割り当てられた楽音信号を、前記各スピーカの再生系統ごとにミキシング処理して、該当するスピーカ再生系統にそれぞれ供給するミキシング手段とを具備し、前記記憶手段に記憶された割当音量は、前記楽器種類ごとに、各対応する実際の楽器の楽音の奥行感に応じて、前記正面スピーカに対する前記背面スピーカの割当音量を設定し、かつ、前記楽器種類ごとに、各対応する実際の楽器の楽音の拡がり感に応じて、前記正面スピーカに対する前記上面スピーカの割当音量を設定しているものである。
【０００７】
楽器種類ごとに該左右正面スピーカへの割当音量を設定することにより、楽器種類ごとに左右方向の定位を設定することができる。
【０００８】
背面スピーカへの割当音量を増やすことにより、特に楽音の奥行感を増強させることができる。楽器種類ごとに背面スピーカへの割当音量を設定することにより、楽器種類ごとに奥行感を設定することができる。例えばピアノ音について背面スピーカへの割当音量を増やすことにより、グランドピアノのような奥行感が得られる。背面スピーカは、例えば左右スピーカで構成することができる。
【０００９】
上面スピーカへの割当音量を増やすことにより、特に楽音の拡がり感を増強させることができる。楽器種類ごとに上面スピーカへの割当音量を設定することにより、楽器種類ごとに拡がり感を設定することができる。例えばフルート音について上面スピーカへの割当音量を増やすことにより、フルート音の拡がり感が得られる。上面スピーカは、例えば左右スピーカで構成することができる。
【００１０】
この発明の電子鍵盤楽器は、楽器筐体の前面に演奏者に対面する方向に向けて配置された低音用スピーカをさらに具備することができる。この場合、前記割当手段は、各音源チャンネルの楽音信号を、個別に設定された割当音量で該低音用スピーカの再生系統へ割り当て、前記ミキシング手段は、該低音用スピーカ再生系統に割り当てられた各音源チャンネルの楽音信号をミキシングして該低音用スピーカ再生系統に供給するものとすることができる。これによれば、楽器種類ごとに低音用スピーカへの割当音量を設定することができるので、低音域を含む楽器音について低音用スピーカへの割当音量を増やすことにより、該楽器音をリアルに再現することができる。
【００１１】
この発明の電子鍵盤楽器は、前記割当手段に設定された割当音量を、使用者の操作により音源チャンネルごとに修正する割当音量修正操作手段をさらに具備することができる。この場合、前記記憶手段が該修正された割当音量を記憶し、前記割当手段が、電源再投入時等に、該記憶手段の読出指令に基づき、前記各楽器種類の楽音信号の音源チャンネルごとに、各スピーカ再生系統への割当音量を、該記憶された割当音量にそれぞれ設定するものとすることができる。
【００１２】
この発明の電子鍵盤楽器は、前記楽器筐体に取り付けられた加振器をさらに具備し、前記割当手段が、前記各音源チャンネルの楽音信号を、個別に設定された割当音量で該加振器の駆動系統へ割り当て、前記ミキシング手段が、該加振器駆動系統に割り当てられた各音源チャンネルの楽音信号をミキシングして該加振器駆動系統に供給するものとすることができる。これによれば、楽音信号で加振器を駆動することにより、楽器筐体の振動が得られ、加振器の設置箇所によっては、加振器の振動が床に伝達されて床の振動も併せて得られる。例えばピアノ、コントラバス、チェロ等床に振動が伝わる楽器の音色の楽音信号で加振器を駆動することにより、これらの楽器の演奏状態をリアルに再現することができる。なお、加振器駆動系統は、特に楽音信号の低音域を抽出するものとすることができる。
【００１３】
この発明の電子鍵盤楽器は、前記各音源チャンネルの楽音信号に個別に所定の楽音パラメータを付与する楽音パラメータ付与手段をさらに具備してなり、前記割当手段が、該楽音パラメータが付与された後の楽音信号について、個別に設定された割当音量で前記各スピーカ再生系統への割り当てを行うものとすることができる。楽音パラメータは、周波数特性、遅延時間、残響特性のいずれか１または２以上のパラメータを含むものとすることができる。これによれば、楽器種類ごとに所望の楽音特性に設定することができる。
【００１４】
この発明の電子鍵盤楽器は、前記ミキシング処理された後の各スピーカ再生系統の楽音信号に個別に所定の楽音パラメータを付与する第２の楽音パラメータ付与手段をさらに具備することができる。楽音パラメータは、周波数特性、遅延時間、残響特性のいずれか１または２以上のパラメータを含むものとすることができる。これによれば、スピーカ再生系統ごとに所望の楽音特性に設定することができる。また、この発明の電子鍵盤楽器は、前記ミキシング処理された後の各スピーカ再生系統の楽音信号の音量を個別に調整する音量調整手段をさらに具備することができる。
【００１５】
【発明の実施の形態】
以下、この発明の実施の形態を説明する。図２は、この発明による電子鍵盤楽器の全体構成を示す。電子鍵盤楽器１０は、筐体１２の前面側に鍵盤１４および操作パネル１５を具備している。筐体１２の前面１２ａの鍵盤１４よりも上方位置の左右には、正面スピーカ１６，１８が、放音面を演奏者と対面する方向に向けて設置されている。筐体１２の背面１２ｂの左右には、背面スピーカ２０，２２が、放音面を背後方向に向けて設置されている。筐体１２の上面１２ｄの左右には、上面スピーカ２４，２６が、放音面を上方に向けて設置されている。筐体１２の前面１２ａの鍵盤１４よりも下方位置の左右方向中央位置には、低音用スピーカ２８が設置されている。筐体１２内の適宜の位置（例えば底板１２ｃ上）には、加振器３０が設置されている。
【００１６】
電子鍵盤楽器１０に搭載されている電気回路構成を図１に示す。操作パネル１５では、使用者（演奏者等）が、楽器種類ごとのオン、オフ設定操作、楽器種類ごとの楽音パラメータ（周波数特性、遅延時間、残響特性等）の設定操作、楽器種類ごとの各スピーカおよび加振器への割当音量（加振器の場合、割当振動量に相当する。）の設定操作、楽器種類ごとの音量の調整操作、スピーカ再生系統および加振器駆動系統ごとの楽音パラメータ（周波数特性、遅延時間、残響特性等）の設定操作、スピーカ再生系統および加振器駆動系統ごとの音量（加振器の場合、振動量に相当する。）の調整操作、楽音全体（加振器の振動を含む。）の総音量調整操作等を行う。
【００１７】
操作パネル１５からの操作情報は、インタフェースコントロールユニット３２に送られる。インタフェースコントロールユニット３２において、ミキシングバランス制御部３４は、使用者による楽器種類ごとのオン、オフ設定操作に基づき、各対応する音源ユニットのオン、オフ制御を行う。また、ミキシングバランス制御部３４は、使用者による楽器種類ごとの各スピーカおよび加振器への割当音量の設定操作に基づき、各楽器種類の楽音信号の各スピーカおよび加振器への音量割当制御を行う。また、ミキシングバランス制御部３４は、使用者による楽器種類ごとの音量の調整操作に基づき、楽器種類ごとの音量の調整制御を行う。効果付与部３６は、使用者による楽器種類ごとの楽音パラメータの設定操作に基づき、各楽器種類ごとの楽音パラメータ（周波数特性、遅延時間、残響特性等）の付与制御を行う。また、効果付与部３６は、使用者によるスピーカ再生系統および加振器駆動系統ごとの楽音パラメータの設定操作に基づき、スピーカ再生系統および加振器駆動系統ごとの楽音パラメータ（周波数特性、遅延時間、残響特性等）の付与制御を行う。音量調整部３８は、使用者によるスピーカ再生系統および加振器駆動系統ごとの音量調整操作に基づき、スピーカ再生系統および加振器駆動系統ごとの音量調整制御を行う。また、音量調整部３８は、使用者による楽音全体の音量調整操作に基づき、スピーカ再生系統および加振器駆動系統全体の音量調整制御を行う。
【００１８】
不揮発性メモリ４０はＥＰＲＯＭ等で構成され、楽器種類ごとの各スピーカおよび加振器への割当音量、楽器種類ごとの楽音パラメータ、スピーカ再生系統および加振器駆動系統ごとの楽音パラメータ、スピーカ再生系統および加振器駆動系統ごとの音量調整等の各設定値を記憶している。電子鍵盤楽器１０の電源をオンすると、不揮発性メモリ４０から各パラメータの設定値が読み出されて、各該当する部分に設定され、電子鍵盤楽器１０全体が前回の電源オフ直前の設定状態に復帰する。使用者の設定操作、調整操作により設定値に修正が加えられると、自動であるいは使用者の記憶操作により、不揮発性メモリ４０の記憶内容が、該修正された内容に更新される。
【００１９】
なお、これら各パラメータについてメーカによるデフォルト値をＲＯＭ等に予め用意しておき、使用者による最初の使用時に、各パラメータが該デフォルト値に設定されるようにしてもよい。この場合、使用者は、各パラメータをこのデフォルト値から任意に修正することができ、該修正された内容は、自動であるいは使用者の記憶操作により、不揮発性メモリ４０に記憶することができる。修正後も、使用者によるリセット操作等によりデフォルト値に復帰できるようにすることができる。
【００２０】
音源部４２は、各種自然楽器等の楽音信号を発生するサンプリング音源等による音源ユニット４２−１，４２−２，…，４２−ｎを具え、演奏者の演奏（またはＲＯＭ等の記憶媒体に記憶された自動演奏プログラム）に応じて各音源ユニット４２−１，４２−２，…，４２−ｎから発生する楽音信号を音源チャンネル４４−１，４４−２，…，４４−ｎにそれぞれ送出する。スイッチ４６−１，４６−２，…，４６−ｎは、使用者による楽器種類ごとのオン、オフ設定操作によってオン、オフされるもので、オン（選択）された楽器種類に該当する音源チャンネルの楽音信号を通過させ、オフ（非選択）された楽器種類に該当する音源チャンネルの楽音信号を遮断する。各音源チャンネル４４−１，４４−２，…，４４−ｎの楽音信号は、アッテネータ４７−１，４７−２，…，４７−ｎに供給され、使用者による楽器種類ごとの音量の調整操作に基づき、それぞれ音量調整される。楽音パラメータ付与部４８は、音源チャンネル４４−１，４４−２，…，４４−ｎごとに楽音パラメータ付与ユニット４８−１，４８−２，…，４８−ｎを具え、各音源チャンネル４４−１，４４−２，…，４４−ｎの楽音信号に、操作者によって楽器種類ごとに設定された周波数特性、遅延時間、残響特性等の楽音パラメータを付与する。これにより、楽器種類ごとに、使用者が希望する音響特性に調整することができる。
【００２１】
割当部５０は、スピーカ再生系統５２，５４，５６，５８，６０，６２，６４および加振器駆動系統６６ごとにミキシングアンプ６８，７０，７２，７４，７６，７８，８０，８２を具えている。各ミキシングアンプ６８，７０，７２，７４，７６，７８，８０，８２は、音源チャンネル４４−１，４４−２，…，４４−ｎごとに音量調整ユニット（アッテネータ）６８−１，６８−２，…，６８−ｎ、７０−１，７０−２，…，７０−ｎ、………、８２−１，８２−２，…，８２−ｎを具えている。各音量調整ユニット６８−１，………，８２−ｎは、操作者によって楽器種類とスピーカ１６，１８，２０，２２，２４，２６，２８および加振器３０との組合せごとに設定された割当音量にそれぞれ調整され、各音源チャンネル４４−１，４４−２，…，４４−ｎの楽音信号を、スピーカ再生系統５２，５４，５６，５８，６０，６２，６４および加振器駆動系統６６ごとに、該設定された割当音量に制御する。これにより、楽器種類ごとに、楽音の左右方向定位、奥行感、拡がり感等を調整できる。すなわち、左右正面スピーカ１６，１８相互の割当音量の大小関係により楽音の左右方向定位を設定することができる。背面スピーカ２０，２２への割当音量を増やすことにより、特に楽音の奥行感を増強させることができる。上面スピーカ２４，２６への割当音量を増やすことにより、特に楽音の拡がり感を増強させることができる。加振器３０への割当音量を増やすことにより、演奏に同期して筐体１２や床の振動を増強させることができる。
【００２２】
各ミキシングアンプ６８，７０，７２，７４，７６，７８，８０，８２は、自己に属する音量調整ユニットで音量が調整された各音源チャンネルごとの楽音信号をアンプ６８ａ，７０ａ，７２ａ，７４ａ，７６ａ，７８ａ，８０ａ，８２ａでそれぞれミキシングして、スピーカ再生系統５２，５４，５６，５８，６０，６２，６４および加振器駆動系統６６に送出する。
【００２３】
楽音パラメータ付与部８４は、スピーカ再生系統５２，５４，５６，５８，６０，６２，６４および加振器駆動系統６６ごとに楽音パラメータ付与ユニット８６，８８，９０，９２，９４，９６，９８，１００を具え、スピーカ再生系統５２，５４，５６，５８，６０，６２，６４および加振器駆動系統６６の楽音信号に、操作者によってスピーカ１６，１８，２０，２２，２４，２６，２８および加振器３０ごとに設定された周波数特性、遅延時間、残響特性等の楽音パラメータを付与する。これにより、スピーカ１６，１８，２０，２２，２４，２６，２８および加振器３０ごとに、使用者の好みに応じた音響特性に調整することができる。なお、加振器３０の楽音パラメータ付与ユニット１００は、特に楽音信号の低音域成分を抽出する周波数特性を有するものとすることができる。楽音パラメータが付与されたスピーカ再生系統５２，５４，５６，５８，６０，６２，６４および加振器駆動系統６６の楽音信号は、アッテネータ１０２，１０４，１０６，１０８，１１１，１１３，１１５，１１７で音量（各再生系統ごとの音量および楽音全体の音量）が調整され、パワーアンプ１１９，１２１，１２３，１２５，１２７，１２９，１３１，１３３を介してスピーカ１６，１８，２０，２２，２４，２６，２８および加振器３０にそれぞれ供給される。
【００２４】
以上の構成によれば、使用者が操作パネル１５上で、楽器種類を選択（例えば音域ごとに選択する等。上鍵盤、下鍵盤、ペダルが設けられている場合は、上鍵盤、下鍵盤、ペダルごとに個別に選択可とすることができる。）すると、音源チャンネル４４−１，４４−２，…，４４−ｎに配置されたスイッチ４６−１，４６−２，…，４６−ｎのうち選択されたものがオンし、演奏者の演奏（または自動演奏プログラム）に応じて、該当する楽器種類の楽音信号が、該オンされたスイッチを介して送出され、楽音パラメータ付与部４８に入力される。楽音パラメータ付与部４８は、該入力される楽音信号に、楽器種類ごとに設定された楽音パラメータ（周波数特性、遅延時間、残響特性等）を付与する。楽音パラメータが付与された楽音信号は、割当部５０の音量調整ユニット６８−１，………，８２−ｎのマトリクスで、楽器種類とスピーカ１６，１８，２０，２２，２４，２６，２８および加振器３０との組合せごとに設定された割当音量にそれぞれ調整され、スピーカ再生系統５２，５４，５６，５８，６０，６２，６４および加振器駆動系統６６ごとにミキシングされて、楽音パラメータ付与部８４に入力される。楽音パラメータ付与部８４は、該入力される楽音信号に、スピーカ再生系統５２，５４，５６，５８，６０，６２，６４および加振器駆動系統６６ごとに設定された楽音パラメータ（周波数特性、遅延時間、残響特性等）を付与する。該楽音パラメータが付与された楽音信号は、アッテネータ１０２，１０４，１０６，１０８，１１１，１１３，１１５，１１７で音量が調整され、パワーアンプ１１９，１２１，１２３，１２５，１２７，１２９，１３１，１３３を介してスピーカ１６，１８，２０，２２，２４，２６，２８および加振器３０にそれぞれ供給されて発音または加振される。これにより、楽器種類ごとに、設定された左右方向定位、奥行感および拡がり感で、演奏者の演奏（または自動演奏プログラム）に基づく楽音信号が発音され、また、演奏に同期して加振器３０を駆動することにより、筐体１２および床の振動が得られる。
【００２５】
ここで、割当部５０に設定される楽器種類ごとの割当音量の設定例を表１に示す。
【表１】
0003858694.tif 000002
【００２６】
表１の設定例によれば、ピアノ音は正面左右スピーカ１６，１８と同等の音量を背面左右スピーカ２０，２２および上面左右スピーカ２４，２６に割り当てているので、実際のグランドピアノの楽音に近い奥行感および拡がり感を得ることができる。また、演奏に同期して、実際のグランドピアノ演奏時に近い筐体１２および床の振動が得られる。オルガン音は、正面左右スピーカ１６，１８に近い音量を上面左右スピーカ２４，２６に割り当てているので、実際のオルガンの楽音に近い拡がり感を得ることができる。また、演奏に同期して、実際のオルガン演奏時に近い筐体１２および床の振動が得られる。フルート音は正面左右スピーカ１６，１８の２倍の音量を上面左右スピーカ２４，２６に割り当てているので、実際のフルートの楽音に近い拡がり感を得ることができる。また、正面左右スピーカ１６，１８と同等の音量を背面左右スピーカ２０，２２に割り当てているので、実際のフルートの楽音に近い奥行感も得られる。なお、表１の設定例によれば、正面スピーカ１６，１８、背面スピーカ２０，２２、上面スピーカ２４，２６は、左右チャンネルの割当音量をそれぞれ等しく設定したが、左右チャンネルで割当音量を異ならせることにより、左右方向の音像定位を個別に設定することができる。
【００２７】
また、以上の実施の形態では、正面スピーカ１６，１８を筐体１２の前面１２ａの鍵盤１４よりも上方位置に配置したが、筐体１２の前面１２ａの鍵盤１４よりも下方位置や、筐体１２の上面１２ｄの上等に配置することもできる。
【図面の簡単な説明】
【図１】  この発明の実施の形態を示す図で、電子鍵盤楽器に搭載されている電気回路構成を示すブロック図である。
【図２】  図１の電子鍵盤楽器の全体構成を示す斜視図および側面図である。
【符号の説明】
１０…電子鍵盤楽器、１２…楽器筐体、１２ａ…楽器筐体の前面、１２ｂ…楽器筐体の背面、１２ｄ…楽器筐体の上面、１５…操作パネル（割当音量修正操作手段）、１６，１８…正面スピーカ、２０，２２…背面スピーカ、２４，２６…上面スピーカ、２８…低音用スピーカ、３０…加振器、４０…不揮発性メモリ（記憶手段）、４２…音源部（音源手段）、４４−１，４４−２，…，４４−ｎ…音源チャンネル、４８…楽音パラメータ付与部（楽音パラメータ付与手段）、５２，５４，５６，５８，６０，６２，６４…スピーカ再生系統、６６…加振器駆動系統、６８−１，６８−２，…，６８−ｎ、７０−１，７０−２，…，７０−ｎ、………、８２−１，８２−２，…，８２−ｎ…音量調整ユニット（割当手段）、６８ａ，７０ａ，７２ａ，７４ａ，７６ａ，７８ａ，８０ａ，８２ａ…アンプ（ミキシング手段）、８４…楽音パラメータ付与部（第２の楽音パラメータ付与手段）、１０２，１０４，１０６，１０８，１１１，１１３，１１５，１１７…アッテネータ（音量調整手段）
【図１】
0003858694.tif 000003
【図２】
0003858694.tif 000004